(57)【要約】      （修正有）【課題】顔や身体、その他の見えない部位のイメージを無線で表示できるリアルタイム映像伝送の携帯型ミラーの構造を提供する。【解決手段】ミラー本体を含み、ミラー本体前方側辺又はその他の位置に撮像ヘッド２を設け、ミラー本体内に処理回路２１を設け、処理回路はイメージ処理回路及び無線伝送回路を含み、ミラー本体内一側に電池２４を設け、ミラー本体底部のＵＳＢ充電スロット４により充電することができ、撮像ヘッドの両側にそれぞれ白色ＬＥＤ３１及び赤外線ＬＥＤ３を設け、白色ＬＥＤにより補光照明の機能を達し、赤外線ＬＥＤにより光線不足又は夜間に使用できる。ミラー本体側辺に制御回路を設け、撮像機能のオン、オフをさせ、ミラー使用時に顔又は身体の見えない部位の映像をリアルタイムに無線方式でスマートフォン又はタブレットＰＣに伝送し、スクリーンに表示する。【選択図】図１
0003205814.tif 000002
【実用新案登録請求の範囲】
【請求項１】
リアルタイム映像伝送の携帯型ミラーの構造であり、該携帯型ミラーは、ミラー本体及び前方の鏡面を含み、ミラー本体前方側辺又はその他の位置に、撮像ヘッドを設け、ミラー本体の鏡面後方に処理回路を設け、該処理回路は、イメージ処理回路及び無線伝送回路を含み、ミラー本体内の一側に前記処理回路の電源を供給する電池を設け、ミラー本体底部に設けるＵＳＢ充電スロットにより、ＵＳＢ充電ケーブルを挿入して電池に対して充電を行うことができ、又は無線充電方式で電池に対して無線充電し、ミラー本体側辺に制御回路を設け、撮像機能のオン又はオフをさせ、携帯型ミラーの使用時に撮像ヘッドにより顔頭又は身体のその他の見えない部位のイメージを撮影し、イメージ処理回路で処理した後、無電伝送回路によりリアルタイムに無線方式でスマートフォン又はタブレットＰＣに伝送し、スマートフォン又はタブレットＰＣ内に実装したＡＰＰプログラムにより撮影したリアルタイム映像をスマートフォン又はタブレットＰＣのスクリーンに表示することを特徴とするリアルタイム映像伝送の携帯型ミラーの構造。
【請求項２】
無線伝送回路は、Ｗｉ−Ｆｉ又はブルートゥース(登録商標)であることができる請求項１に記載のリアルタイム映像伝送の携帯型ミラーの構造。
【請求項３】
前記撮像ヘッドの両側にそれぞれ少なくとも１つの白色ＬＥＤ及び赤外線ＬＥＤを設け、白色ＬＥＤにより補光照明の機能を達し、赤外線ＬＥＤにより光線不足又は夜間に使用させることができる請求項１に記載のリアルタイム映像伝送の携帯型ミラーの構造。
【請求項４】
前記撮像ヘッド、イメージ処理回路及び無線伝送回路を含む処理回路、電池及びＵＳＢ充電スロット等の構成部材は、同一方式でヘアブラシ、リップクリーム、眉ペンシル又はチークブラシに設けることができ、ヘアブラシ、リップクリーム、眉ペンシル又はチークブラシ上の撮像ヘッドが顔部又は身体の曽田の見えにくい部位の映像を撮影し、イメージ処理回路により処理した後、無線伝送回路によりリアルタイムに無線方式でスマートフォン又はタブレットＰＣのスクリーンに伝送する請求項１に記載のリアルタイム映像伝送の携帯型ミラーの構造。
【請求項５】
前記ヘアブラシ、リップクリーム、眉ペンシル又はチークブラシ上に設けた該撮像ヘッドの両側にそれぞれ少なくとも１つの白色ＬＥＤ及び赤外線ＬＥＤを設け、白色ＬＥＤにより補光照明の機能を達し、赤外線ＬＥＤにより光線不足又は夜間に使用させることができる請求項４に記載のリアルタイム映像伝送の携帯型ミラーの構造。
【考案の詳細な説明】
【技術分野】
【０００１】
本考案は、リアルタイム映像伝送の携帯型ミラーの構造に関し、特に、携帯型ミラー上にリアルタイム映像撮影伝送モジュールを設け、ミラーの使用時頭顔又は身体の見えにくい部位の映像をリアルタイムに無線方式でスマートフォン又はタブレットＰＣの表示スクリーンに伝送し、使用者に観覧させることができるリアルタイム映像伝送の携帯型ミラーの設計に関する。
【背景技術】
【０００２】
従来の携帯型ミラーは、外出化粧時に顔部を見させ、化粧又は髪型の整理に用いることができるが、一般の携帯型ミラーは、ただ顔部及び前髪部分を反射して見せることしかできず、顔部の側面、頭の上、頭部両側の後方部位を見ることができず、従って、目でみれないその他の部分の髪を整理したい時、従来の携帯型ミラーは、その目的を達成することができない。
【先行技術文献】
【特許文献】
【０００３】
【特許文献１】特開２００１−３５０１５７号公報
【特許文献２】実用新案登録第３０６９５８９号公報
【考案の概要】
【考案が解決しようとする課題】
【０００４】
本考案は、ミラー本体を含み、ミラー本体前方側辺又はその他の位置に、撮像ヘッドを設け、ミラー本体内に処理回路を設け、該処理回路は、イメージ処理回路及び無線伝送回路を含み、そのうちの無線伝送回路は、Wi-Fi又はブルートゥース(登録商標)を含み、ミラー本体内の一側に前記処理回路の電源を供給する電池を設け、ミラー本体底部に設けるＵＳＢ充電スロットにより、ＵＳＢ充電ケーブルを挿入して電池に対して充電を行うことができる。
また、前記撮像ヘッドの両側にそれぞれ少なくとも１つの白色ＬＥＤ及び赤外線ＬＥＤを設け、白色ＬＥＤにより補光照明の機能を達し、赤外線ＬＥＤにより光線不足又は夜間に使用できる。
更に、ミラー本体側辺に制御回路を設け、撮像機能のオン又はオフをさせ、ミラー使用時に顔又は身体の見えない部位のイメージをリアルタイムに無線方式でスマートフォン又はタブレットＰＣに伝送し、携帯電話又はタブレットＰＣ内に実装したＡＰＰプログラムにより撮影したリアルタイム映像を携帯電話又はタブレットＰＣのスクリーンに表示する。
【０００５】
本考案の目的は、ミラー本体前方又はその他の位置に撮像ヘッドを設け、ミラー本体内に撮像処理回路及び無線伝送回路を含む処理回路を設け、ミラーの使用時、顔頭又は身体のその他の見えない部位のイメージをリアルタイムに無線方式でスマートフォン又はタブレットＰＣに伝送し、携帯電話又はタブレットＰＣ内に実装したＡＰＰプログラムにより撮影したリアルタイム映像を携帯電話又はタブレットＰＣのスクリーンに表示し、使用者に見せ、化粧又は髪の整理をさせることである。
【０００６】
本考案のもう１つの目的は、前記撮像ヘッドの両側にそれぞれ少なくとも１つの白色ＬＥＤ及び赤外線ＬＥＤを設け、白色ＬＥＤにより補光照明の機能を達し、赤外線ＬＥＤにより光線不足又は夜間に使用させることである。
【０００７】
本考案のもう１つの目的は、ミラー本体前方又はその他の位置に撮像ヘッドを設け、ミラー本体内にイメージ処理回路及び無線伝送回路を含む処理回路を設け、通常時は、一般のミラーとして使用でき、暗い箇所、隙間又は目で見れない位置の物品を探したい時、該位置内のイメージをリアルタイムに無線方式でスマートフォン又はタブレットＰＣに伝送し、遺失物の捜索又は緊急救援の効果を達成することである。
【課題を解決するための手段】
【０００８】
本考案のリアルタイム映像伝送の携帯型ミラーの構造は、ミラー本体及び前方の鏡面を含み、ミラー本体前方側辺又はその他の位置に、撮像ヘッドを設け、ミラー本体の鏡面後方に処理回路を設け、該処理回路は、イメージ処理回路及び無線伝送回路を含み、ミラー本体内の一側に前記処理回路の電源を供給する電池を設け、ミラー本体底部に設けるＵＳＢ充電スロットにより、ＵＳＢ充電ケーブルを挿入して電池に対して充電を行うことができ、又は無線充電方式で電池に対して無線充電する。
ミラー本体側辺に制御回路を設け、撮像機能のオン又はオフをさせ、携帯型ミラーの使用時に撮像ヘッドにより顔頭又は身体のその他の見えない部位のイメージを撮影し、イメージ処理回路で処理した後、無電伝送回路によりリアルタイムに無線方式でスマートフォン又はタブレットＰＣに伝送し、スマートフォン又はタブレットＰＣ内に実装したＡＰＰプログラムにより撮影したリアルタイム映像をスマートフォン又はタブレットＰＣのスクリーンに表示する。
【考案の効果】
【０００９】
本考案は、顔部又は身体のその他の見えにくい部位の映像を撮影でき、無線伝送回路によりスマートフォン又はタブレットＰＣのスクリーンに伝送させることができる。
【図面の簡単な説明】
【００１０】
【図１】本考案の好適実施状態の立体図である。
【図２】本考案のＵＳＢ充電ケーブルを挿入して充電を行う立体分解図である。
【図３】本考案のミラー本体のうち一側に制御スイッチを設けた立体図である。
【図４】本考案のミラー本体のうち一側に制御スイッチを設けた局部拡大図である。
【図５】本考案の撮像ヘッドの撮影するリアルタイムの映像を無線方式でスマートフォン又はタブレットＰＣに伝送し、リアルタイムで観覧させる実施例図である。
【図６】本考案のもう一種のミラーカバーを有する携帯型ミラーの実施例図である。
【図７】本考案のヘアブラシに使用時の実施例図である。
【図８】本考案のリップクリームに使用時の実施例図である。
【図９】本考案の眉ペンシル又はチークブラシに使用時の実施例図である。
【考案を実施するための形態】
【００１１】
図１、図２、図３、図４を参照して説明すると、本考案は、リアルタイム映像伝送の携帯型ミラーの構造に関し、該携帯型ミラー１は、ミラー本体１１及び前方の鏡面１２を含み、ミラー本体１１前方側辺又はその他の位置に撮像ヘッド２を設け、ミラー本体１１の鏡面１２後方内に処理回路２１を設け、該処理回路２１は、イメージ処理回路２２及び無線伝送回路２３を含み、そのうち、無線伝送回路２３は、Ｗｉ−Ｆｉ又はブルートゥース(登録商標)であることができ、ミラー本体１１内の一側に前記処理回路２１に電源を供給する電池２４を設け、ミラー本体１１底部に設けたＵＳＢ充電スロット４によりＵＳＢ充電ケーブル４１を挿入させ、電池２４に対して充電することができ、又は無線充電方式で電池２４に対して無線充電を行うことができる。
また、前記撮像ヘッド２の両側にそれぞれ少なくとも１つの白色ＬＥＤ３１及び赤外線ＬＥＤ３を設け、白色ＬＥＤ３１により補光照明の機能を達し、赤外線ＬＥＤ３により光線不足又は夜間に使用させることができ、ミラー本体１１側辺に制御回路２５を設け、撮像機能のオン又はオフを行い、携帯型ミラー１を使用時、撮像ヘッド２により顔頭又は身体のその他の見えない部位のイメージを撮影でき、イメージ処理回路２２の処理後、無線伝送回路２３によりリアルタイムに無線方式でスマートフォン５又はタブレットＰＣ６に伝送し、スマートフォン５又はタブレットＰＣ６内に実装したＡＰＰプログラムにより撮影したリアルタイム映像をスマートフォン５又はタブレットＰＣ６のスクリーン５１，６１に表示する（図５参照）。
【００１２】
図６を参照して説明すると、それは、本考案が撮像ヘッド２をもう一種のミラーカバー１３’を有する携帯型ミラー１’のミラー本体１１’上に設けた実施例であり、ミラー本体１１’の鏡面１２’後方内にイメージ処理回路２２及び無線伝送回路２３を含む処理回路２１を設け、ミラー本体１１’内に一側に電池２４を設け、ミラー本体１１’底部にＵＳＢ充電ケーブル４１を挿入して電池２４に対して充電を行うことができるＵＳＢ充電スロット４を設け、又は無線充電干す位器で電池２４に対して無線充電を行い、また、前記撮像ヘッド２の両側にそれぞれ少なくとも１つの白色ＬＥＤ３１及び赤外線ＬＥＤ３を設け、白色ＬＥＤ３１により補光照明の機能を達し、赤外線ＬＥＤ３により光線不足又は夜間に使用させることができる。
【００１３】
図７を参照して説明すると、それは、本考案のヘアブラシ７に使用した実施例であり、ヘアブラシ本体７１内にイメージ処理回路２２及び無線伝送回路２３を含む処理回路２１を設け、ヘアブラシ本体７１内の一側に電池２４を設け、ヘアブラシ本体７１側辺又はその他の位置にＵＳＢ充電ケーブル４１を挿入して電池２４に対して充電を行うことができるＳＵＢ充電スロット４を設け、又は無電充電方式で電池２４に対して無線充電を行うことができる。
ヘアブラシ本体７１前方側辺又はその他の位置に撮像ヘッド２を設け、ヘアブラシ７を使用して整髪する時、撮像ヘッド２により頭部後方の頭髪又はその他の見えない部位の映像を撮影でき、イメージ処理回路２２で処理した後、無線伝送回路２３によりリアルタイムに無線方式でスマートフォン５又はタブレットＰＣ６に伝送し、スマートフォン５又はタブレットＰＣ６内に実装したＡＰＰプログラムにより撮影したリアルタイム映像をスマートフォン５又はタブレットＰＣ６のスクリーン５１，６１に表示する。
また、前記撮像ヘッド２の両側にそれぞれ少なくとも１つの白色ＬＥＤ３１及び赤外線ＬＥＤ３を設け、白色ＬＥＤ３１により補光照明の機能を達し、赤外線ＬＥＤ３により光線不足又は夜間に使用させることができる。
【００１４】
図８を参照して説明すると、それは、本考案のリップクリーム８に使用した実施例であり、リップクリーム８の一端に蓋８２を設け、リップクリーム８の底台８１内にイメージ処理回路２２及び無線伝送回路２３を含む処理回路２１を設け、底台８１内の一側に電池２４を設け、底台８１側辺又はその他の位置にＵＳＢ充電ケーブル４１を挿入して電池２４に対して充電を行うことができるＳＵＢ充電スロット４を設け、又は無電充電方式で電池２４に対して無線充電を行うことができる。
底台８１底端又はその他の位置に撮像ヘッド２を設け、使用時、撮像ヘッド２により顔部又は身体のその他の見えない部位の映像を撮影でき、イメージ処理回路２２で処理した後、無線伝送回路２３によりリアルタイムに無線方式でスマートフォン５又はタブレットＰＣ６のスクリーン５１，６１に伝送し、また、前記撮像ヘッド２の両側にそれぞれ少なくとも１つの白色ＬＥＤ３１及び赤外線ＬＥＤ３を設け、白色ＬＥＤ３１により補光照明の機能を達し、赤外線ＬＥＤ３により光線不足又は夜間に使用させることができる。
【００１５】
図９を参照して説明すると、それは、本考案の眉ペンシル９又はチークブラシに使用した実施例であり、エンドカバー９２及び眉ペンシル９又はチークブラシの他端に結合可能なエンドスリーブ本体９１を含み、該エンドスリーブ本体９１一端に眉ペンシル９又はチークブラシの一端に被せ合わせ可能なスリーブ凹部９１１を有し、該スリーブ本体９１内にイメージ処理回路２２及び無線伝送回路２３を含む処理回路２１を設け、スリーブ本体９１内の一側に電池２４を設け、スリーブ本体９１側辺又はその他の位置にＵＳＢ充電ケーブル４１を挿入して電池２４に対して充電を行うことができるＳＵＢ充電スロット４を設け、又は無電充電方式で電池２４に対して無線充電を行うことができる。
スリーブ本体９１底端又はその他の位置に撮像ヘッド２を設け、使用時、撮像ヘッド２により顔部又は身体のその他の見えない部位の映像を撮影でき、イメージ処理回路２２で処理した後、無線伝送回路２３によりリアルタイムに無線方式でスマートフォン５又はタブレットＰＣ６のスクリーン５１，６１に伝送し、また、前記撮像ヘッド２の両側にそれぞれ少なくとも１つの白色ＬＥＤ３１及び赤外線ＬＥＤ３を設け、白色ＬＥＤ３１により補光照明の機能を達し、赤外線ＬＥＤ３により光線不足又は夜間に使用させることができる。
【００１６】
上記を総合し、本考案は、顔部又は身体のその他の見えにくい部位の映像を撮影でき、無線伝送回路によりスマートフォン又はタブレットＰＣのスクリーンに伝送させることができる。
なお、本考案の特徴を損なうものでなければ、前述した実施例に限定されないことは勿論である。
【符号の説明】
【００１７】
１  携帯型ミラー
１’  携帯型ミラー
１１  ミラー本体
１１’  ミラー本体
１２  鏡面
１２’  鏡面
１３’  ミラーカバー
２  撮像ヘッド
２１  処理回路
２２  イメージ処理回路
２３  無線伝送回路
２４  電池
２５  制御スイッチ
３  赤外線ＬＥＤ
３１  白色ＬＥＤ
４  ＵＳＢ充電スロット
４１  ＵＳＢ充電ケーブル
５  スマートフォン
５１  スクリーン
６１  スクリーン
６  タブレットＰＣ
７  ヘアブラシ
７１  ヘアブラシ本体
８  リップクリーム
８１  底台
８２  蓋
９  眉ペンシル
９１  エンドスリーブ本体
９１１  ソケット凹部
９２  エンドカバー  
【図１】
0003205814.tif 000003
【図２】
0003205814.tif 000004
【図３】
0003205814.tif 000005
【図４】
0003205814.tif 000006
【図５】
0003205814.tif 000007
【図６】
0003205814.tif 000008
【図７】
0003205814.tif 000009
【図８】
0003205814.tif 000010
【図９】
0003205814.tif 000011
【手続補正書】
【提出日】平成28年6月6日(2016.6.6)
【手続補正１】
【補正対象書類名】実用新案登録請求の範囲
【補正対象項目名】全文
【補正方法】変更
【補正の内容】
【実用新案登録請求の範囲】
【請求項１】
リアルタイム映像伝送の携帯型ミラーの構造であり、該携帯型ミラーは、ミラー本体及び前方の鏡面を含み、ミラー本体前方側辺又はその他の位置に、撮像ヘッドを設け、ミラー本体の鏡面後方に処理回路を設け、該処理回路は、イメージ処理回路及び無線伝送回路を含み、ミラー本体内の一側に前記処理回路の電源を供給する電池を設け、ミラー本体底部に設けるＵＳＢ充電スロットにより、ＵＳＢ充電ケーブルを挿入して電池に対して充電を行うことができ、又は無線充電方式で電池に対して無線充電し、ミラー本体側辺に制御回路を設け、撮像機能のオン又はオフをさせ、携帯型ミラーの使用時に撮像ヘッドにより顔頭又は身体のその他の見えない部位のイメージを撮影し、イメージ処理回路で処理した後、無電伝送回路によりリアルタイムに無線方式でスマートフォン又はタブレットＰＣに伝送し、スマートフォン又はタブレットＰＣ内に実装したＡＰＰプログラムにより撮影したリアルタイム映像をスマートフォン又はタブレットＰＣのスクリーンに表示することを特徴とするリアルタイム映像伝送の携帯型ミラーの構造。
【請求項２】
無線伝送回路は、Ｗｉ−Ｆｉ又はブルートゥース(登録商標)であることができる請求項１に記載のリアルタイム映像伝送の携帯型ミラーの構造。
【請求項３】
前記撮像ヘッドの両側にそれぞれ少なくとも１つの白色ＬＥＤ及び赤外線ＬＥＤを設け、白色ＬＥＤにより補光照明の機能を達し、赤外線ＬＥＤにより光線不足又は夜間に使用させることができる請求項１に記載のリアルタイム映像伝送の携帯型ミラーの構造。
【請求項４】
前記撮像ヘッド、イメージ処理回路及び無線伝送回路を含む処理回路、電池及びＵＳＢ充電スロットの構成部材は、同一方式でヘアブラシ、リップクリーム、眉ペンシル又はチークブラシに設けることができ、ヘアブラシ、リップクリーム、眉ペンシル又はチークブラシ上の撮像ヘッドが顔部又は身体のその他の見えにくい部位の映像を撮影し、イメージ処理回路により処理した後、無線伝送回路によりリアルタイムに無線方式でスマートフォン又はタブレットＰＣのスクリーンに伝送する請求項１に記載のリアルタイム映像伝送の携帯型ミラーの構造。
【請求項５】
前記ヘアブラシ、リップクリーム、眉ペンシル又はチークブラシ上に設けた該撮像ヘッドの両側にそれぞれ少なくとも１つの白色ＬＥＤ及び赤外線ＬＥＤを設け、白色ＬＥＤにより補光照明の機能を達し、赤外線ＬＥＤにより光線不足又は夜間に使用させることができる請求項４に記載のリアルタイム映像伝送の携帯型ミラーの構造。